(57)【要約】【課題】  ベッドの統一感（意匠性）が損なわれず、カバーがずれたりせず、且つクッション体の保持構造が簡易で着脱が容易である、ベッドを提供すること。【解決手段】  ヘッドボード２を備えるベッド１であって、ヘッドボード２は、その上部端面１１と左右の側部端面１２に溝１３を有し溝１３の内側前面１５または内側後面１４に係止部材１６を具備する板部１０と、板部１０の前面１８に設置されるクッション体３５と、クッション体３５を覆い係止部材１６に対して溝１３への挿入により係止される被係止部材４５を外周部の端面４１に具備するカバー４０と、を備える構成である。【選択図】  図５
2013022133.tif 000002
【特許請求の範囲】
【請求項１】
ヘッドボードを備えるベッドであって、
前記ヘッドボードは、
前記ヘッドボードの左右の端部に溝を有し、前記溝の内側に係止部材を設けた板部と、
前記板部の前面に設置されるクッション体と、
前記クッション体を覆い前記係止部材に対して前記溝への挿入により係止される被係止部材を前記外周部に設けたカバーと、を備える、
ベッド。
【請求項２】
請求項１または請求項２に記載のベッドに於いて、
前記カバーは、パイプを覆って折返した両端を重ね合わせた縫い代部の先端に前記被係止部材を締結したパイピングを、前記パイプが前記外周部の内側に設置される様に前記外周部に具備している、
ベッド。
【請求項３】
請求項１に記載のヘッドボードを備えるベッドであって、
前記カバーは、前記被係止部材を前記係止部材に係止する際に前記パイピングが前記溝を覆う、
ベッド。
【請求項４】
請求項１または２に記載のベッドに於いて、
前記カバーは、前記板部の上部に設けられた前記溝へは前記カバーの意匠面の裏側からステープルで締結されている、
ベッド。
【請求項５】
ヘッドボードを備えるベッドの組付け方法であって、
前記ヘッドボードの板部の上部及び左右の端部に設けられた溝の内側前面または後面に係止部材を設け、
クッション体を設置し、
前記クッション体の前面に前記クッション体の前面を覆う様に前記係止部材と係合される被係止部材を外周部に具備するカバーを設置し、
前記カバーの前記被係止部材を前記溝の内側前面または後面に設置された係止部材に係止または係止部材からの取り外しを行なう、
ベッドの組付け方法。
【請求項６】
請求項４に記載のベッドの組付け方法に於いて、
前記係止部材と前記被係止部材とが当接する面には、フィルムを挟み、
前記カバーの張り量を調整しながら前記溝に挿入される前記被係止部材の挿入量を調整した後に、前記フィルムを抜き取り、前記係止部材と前記被係止部材とが係止される、ベッドの組付け方法。
【発明の詳細な説明】
【技術分野】
【０００１】
本発明は、ヘッドボードを備えるベッドに関するものである。
【背景技術】
【０００２】
従来技術として、ベッドの骨格部材である背板（ヘッドボード）と対面するフットボード部（フットフレーム）を備え、クッション体とスペーサ材を具備するフード部材とカバー材（カバー）が背板に被着される、ベッド及びベッド用フード部材がある（例えば、特許文献１参照。）。
【０００３】
また、ヘッドボード部の前面に背凭れ体（クッション体）を有するベッド装置（ベッド）がある（例えば、特許文献２参照。）。
【先行技術文献】
【特許文献】
【０００４】
【特許文献１】特開２００８−０４３３５３号公報
【特許文献２】特開２００１−３５３０４３号公報
【発明の概要】
【発明が解決しようとする課題】
【０００５】
しかしながら、特許文献１のベッドでは、背板がカバーに覆われてベッドの統一感（意匠性）が損なわれたり、カバーがずれたりする、と云う問題がある。
【０００６】
また、特許文献２のベッドでは、クッション体の保持構造が複雑でカバーの着脱が困難である、と云う問題がある。
【０００７】
本発明は上記問題点に鑑みて成されたものであり、ベッドの統一感（意匠性）が損なわれず、カバーがずれたりせず、且つクッション体の保持構造が簡易でカバーの着脱が容易である、ベッドを提供することを目的とする。
【課題を解決するための手段】
【０００８】
本発明の第１の課題解決手段は、ヘッドボードを備えるベッドであって、前記ヘッドボードは、前記ヘッドボードの左右の端部に溝を有し、前記溝の内側に係止部材を設けた板部と、前記板部の前面に設置されるクッション体と、前記クッション体を覆い前記係止部材に対して前記溝への挿入により係止される被係止部材を前記外周部に設けたカバーと、を備える構成である。
【０００９】
また、本発明の第２の課題解決手段は、前記カバーは、パイプを覆って折返した両端を重ね合わせた縫い代部の先端に前記被係止部材を締結したパイピングを、前記パイプが前記外周部の内側に設置される様に前記外周部に具備している、構成である。
【００１０】
また、本発明の第３の課題解決手段は、前記カバーは、前記被係止部材を前記係止部材に係止する際に前記パイピングが前記溝を覆う、構成である。
【００１１】
また、本発明の第４の課題解決手段は、前記カバーは、前記板部の上部に設けられた前記溝へは前記カバーの意匠面の裏側からステープルで締結されている、構成である。
【００１２】
また、本発明の第５の課題解決手段は、前記ヘッドボードの板部の上部及び左右の端部に設けられた溝の内側前面または後面に係止部材を設け、クッション体を設置し、前記クッション体の前面に前記クッション体の前面を覆う様に前記係止部材と係合される被係止部材を外周部に具備するカバーを設置し、前記カバーの前記被係止部材を前記溝の内側前面または後面に設置された係止部材に係止または係止部材からの取り外しを行なう、ベッドの組付け方法である。
【００１３】
また、本発明の第６の課題解決手段は、前記係止部材と前記被係止部材とが当接する面には、フィルムを挟み、前記カバーの張り量を調整しながら前記溝に挿入される前記被係止部材の挿入量を調整した後に、前記フィルムを抜き取り、前記係止部材と前記被係止部材とが係止される、ベッドの組付け方法である。
【発明の効果】
【００１４】
本発明のベッドは、カバーの外周部を係止する係止部材を溝の内側に設け、係止部材と係合される被係止部材をカバー外周部に設けることで、ベッドのフレームの統一感（意匠性）が損なわれず、カバーのずれを防止し、更にクッション体の保持構造が簡易でカバーの着脱が容易になる。
【００１５】
また、本発明のベッドは、カバーにパイピングを具備することで、溝を外部から見えない様に覆い隠すことが可能になる。
【００１６】
また、本発明のベッドの組付け方法は、被係止部材を係止部材に係止する際にパイピングで溝を覆うことで、溝を外部から見えない様に覆い隠すことが可能である。
【００１７】
また、本発明のベッドは、板部の上部の溝へカバーの意匠面の裏側からステープルで締結することで、カバーやクッション体に大きな力が掛かっても、カバーやクッション体がずれたり外れたりし難く出来る。
【００１８】
また、本発明のベッドの組付け方法は、カバーの外周部を係止する係止部材を溝の内側前面または後面に具備し、係止部材と係合される被係止部材をカバー外周部に具備することで、カバーやクッション体を付け直すことが可能になる。
【００１９】
また、本発明のベッドの組付け方法は、カバーの張り量を調整しながら溝に挿入される被係止部材の挿入量を調整した後に、フィルムを抜き取り、係止部材と被係止部材とを係止させることで、カバーのシワ発生や凹凸発生を防止出来る。
【図面の簡単な説明】
【００２０】
【図１】ベッドの正面図である。
【図２】ベッドの平面図である。
【図３】ベッドの側面図である。
【図４】ベッドの板部の説明図である。
【図５】カバーをヘッドボードの側部端面へ取付ける際の説明図である。
【図６】カバーをヘッドボードの上部端面へ取付ける際の説明図である。
【発明を実施するための形態】
【００２１】
以下に本発明の実施の形態を図面に基づいて詳細に説明する。
【００２２】
図１は、ベッド１の正面図で、上部端面１１に溝１３を有する塗料付き圧縮合板の板部１０と板部１０の溝１３の前側の面１８に設置された発泡ウレタン製のクッション体３５を覆う合皮製のカバー４０とを有するヘッドボード２と、塗料付き圧縮合板のフットフレーム３と、板部１０とフットフレーム３との間に設置される塗料付き圧縮合板の左サイドレール４と塗料付き圧縮合板の右サイドレール５と、左サイドレール４と右サイドレール５との間に設置される圧縮合板の床板６と、を備える。左サイドレール４と右サイドレール５は、ヘッドボード２とフットフレーム３に金具７を介してねじ留めされている。床板６は、左サイドレール４に設けられた段部４ａ上と右サイドレール５に設けられた段部５ａ上に載せられている。ヘッドボード２の前面には、クッション体３５を覆う様にカバー４０が具備され、カバー４０の外周部の端面４１に取付けられたパイピング４２が板部１０の溝１３を覆う様に設置されている。
【００２３】
なお、クッション体３５とカバー４０を板部１０へ取付ける方法については図５と図６で別途、説明する。ここでは板部１０と、フットフレーム３と、左サイドレール４と右サイドレール５と、床板６を、塗料付き圧縮合板で説明しているが、塗料無し圧縮合板、無垢の木材や竹や金属または硬質樹脂製の板材やパイプ材、本皮や合皮と云ったレザーや樹脂カバー４０を被せた木材や金属または硬質樹脂製の板材やパイプ材、で代用することも可能である。更に、ここでは床板６を２枚で図示しているが、１枚または３枚以上とすることも可能である。
【００２４】
図２は、ベッド１の平面図である。側部端面１２に溝１３を有する板部１０は、左サイドレール４と繋がっている。溝１３と溝１３の前側の面１８は、左サイドレール４より上の面に設置されている。クッション体３５は、板部１０の溝１３の前側の面１８に左サイドレール４より上側に設置されている。カバー４０は、クッション体３５を覆う様に、クッション体３５の上部３６側とクッション体３５の側部３７側では溝１３に係止され、クッション体３５の下部３８側では前側の面１８の下面にタッカーで締結されている。左サイドレール４の下側には、レッグ８が設置されている。
【００２５】
なお、ここでは、パイピング４２を省略している。使用者や販売者や製造者の要望により、溝１３を、板部１０の最下面まで延長することも可能である。レッグ８を無くすことも可能である。更に、カバー４０を予めクッション体３５に摩擦で留めておき、溝１３の前側の面１８に設置することも可能である。クッション体３５は、カバー４０側に柔らかい綿（図示せず）を、前側の面１８側に綿よりも固めの発泡ウレタン（図示せず）を、配置した２層で構成することも可能である。
【００２６】
図３は、ベッド１の側面図である。カバー４０の左の外面４７は左サイドレール４の外面４ｂと、カバー４０の右の外面４８は右サイドレール５の外面５ｂと、同一面になる様に張り具合を調整されて板部１０の溝１３の前側の面１８に設置されている。
【００２７】
なお、ここでは、パイピング４２を省略している。カバー４０は、縫い目４９によって左右に２分割されて記載されているが、１枚または３枚以上とすることも可能である。
【００２８】
図４は、ベッド１の板部１０の説明図である。まず、４枚の縦芯２０と２枚の横芯２１をねじ留めして形成した枠２５を形成する。次いで、２枚の縦芯２２と１枚の縦芯２３と２枚の横芯２４をねじ留めして形成した枠２６を形成する。更に、枠２５と枠２６を金具７を介してねじ留めし、大枠２７を形成する。そこで、形成した大枠２７の前後左右上の５方向から化粧板２８を、接着剤で貼り付けて背板１９を形成する。更に、形成した背板１９の前面に横芯２９を接着剤で貼り付け、横芯２９の前面に前板３０を接着して板部１０を形成した構成である。
【００２９】
なお、図１と図２では、板部１０を１枚板で説明したが、図４の構成で代用することも可能である。ここでは枠２５と枠２６を形成する方法として金具７を介したねじ留めを記載したが、釘や接着や金具で代用することも可能である。
【００３０】
図５は、カバー４０をヘッドボード２の側部端面１２へ取付ける際の説明図である。（ａ）はカバー４０を係止する前のヘッドボード２、（ｂ）はカバー４０を係止した後のヘッドボード２の説明図である。（ａ）は、板部１０で、上部端面１１と左右の側部端面１２に溝１３を有し、溝１３の内側後面１４にオス面ファスナー１６（係止部材）を接着剤で締結し、オス面ファスナー１６の前面に紙製のフィルム１７を挟んでいる。カバー４０はオス面ファスナー１６と係合される外周部の端面４１に、パイプ４３を覆って折返した両端を重ね合わせた縫い代部４４の先端にメス面ファスナー４５（被係止部材）を締結したパイピング４２を、パイプ４３が外周部の内側に設置される様に具備している。（ｂ）は、メス面ファスナー４５が溝１３に挿入され、フィルム１７が溝１３から取外された状態である。この状態で、パイプ４３は溝１３を外部から見えない様に覆い隠し、メス面ファスナー４５はカバー４０にシワや凹凸を生じない様に溝１３への挿入量が調節されている。
【００３１】
なお、オス面ファスナー１６は溝１３の内側前面１５に接着剤で締結し、その後ろ側にフィルム１７を設置することも可能である。オス面ファスナー１６とメス面ファスナー４５は、複数のＳ極磁石とＮ極磁石を当接させる組合わせや、凹凸方向に撓むラックの組み合わせなどで代用することも可能である。フィルム１７には意図的に溝１３から外す前に自然に抜けない様に、オス面ファスナー１６の溝１３の奥部の面で引っ掛かる曲げ部を有することが望ましいが、凹凸やピン孔を形成したり粘着材を貼ってオス面ファスナー１６に引っ掛かり易くしておくことも可能である。縫い代部４４は、メス面ファスナー４５を溝１３に挿入した際にしなったり折れ曲がったりしない程度に硬くすることが推奨される。クッション体３５は、カバー４０に内接する面を柔らかい層にし、更にその内側を固めの層にすることも可能である。更に、溝１３を強調して異なるデザインにする為に、パイプ４３を無くす構成にすることも可能である。
【００３２】
図６は、カバー４０をヘッドボード２の上部端面１１へ取付ける際の説明図である。（ａ）はカバー４０を係止部材に係止する前のヘッドボード２、（ｂ）はカバー４０を係止部材に係止した後のヘッドボード２の説明図である。（ａ）で、溝１３の内側にはオス面ファスナー１６も、フィルム１７も有していない。カバー４０は溝１３に挿入される外周部の端面４１に、パイプ４３を覆って折返した両端を重ね合わせた縫い代部４４を有するパイピング４２を、パイプ４３が外周部の端面４１の内側に設置される様に具備している。このパイピング４２の縫い代部４４の先端にはメス面ファスナー４５を有していない。（ｂ）は、縫い代部４４が溝１３に挿入され、フィルム１７が溝１３から取外された状態である。この状態で、パイプ４３は溝１３を外部から見えない様に覆い隠し、縫い代部４４はカバー４０にシワや凹凸を生じない様に溝１３への挿入量を調節されている。
【００３３】
なお、縫い代部４４は、縫い代部４４を溝１３に挿入した際にしなったり折れ曲がったりしない程度に硬くすることが推奨される。更に、溝１３部を強調して異なるデザインにする為に、パイプ４３を無くす構成にすることも可能である。
【００３４】
以下に、本発明のベッド１の動作について、説明する。
【００３５】
図５（ａ）の状態で、メス面ファスナー４５を、徐々に溝１３へ挿入し、溝１３が外部から見えない程度にパイプ４３が溝１３を覆い隠し且つカバー４０にシワや凹凸を生じない程度に挿入されたところで挿入を止める。その状態を維持しつつフィルム１７をゆっくりと取外し、メス面ファスナー４５をオス面ファスナー１６に係合させ、図５（ｂ）の状態にする。長期使用によって溝１３が外部から見える様になったり、カバー４０にシワや凹凸が発生した場合には、メス面ファスナー４５とオス面ファスナー１６の間に、金属製の薄板等を挿入してメス面ファスナー４５とオス面ファスナー１６の係合を外す。その後、図５（ａ）の様にフィルム１７を挿入して、再度、縫い代部４４を溝１３に係合させる。
【００３６】
図６（ａ）の状態で、縫い代部４４を、徐々に溝１３へ挿入し、溝１３が外部から見えない程度にパイプ４３が溝１３を覆い隠し且つカバー４０にシワや凹凸を生じない程度に挿入されたところで挿入を止める。その状態を維持しつつ、縫い代部４４を介して溝１３にステープル４６を打込み、図６（ｂ）の状態にする。長期使用によって溝１３が外部から見える様になったり、カバー４０にシワや凹凸が発生した場合には、ステープル４６をマイナスドライバーなどを用いて外す。その後、図６（ａ）の状態から、再度、縫い代部４４を溝１３に係合させる。
【００３７】
以下に、本発明のベッド１の効果について、説明する。
【００３８】
本発明のベッド１は、カバー４０の外周部の端面４１を係止するオス面ファスナー１６を溝１３の内側の前面１５又は内側の後面１４に設け、オス面ファスナー１６と係合されるメス面ファスナー４５をカバー４０の外周部の端面４１に設けることで、ベッド１のヘッドボード２とフットフレーム３と左サイドレール４と右サイドレール５とで構成されるフレームの統一感（意匠性）が損なわれず、カバー４０のずれを防止し、更にクッション体３５の保持構造が簡易でカバー４０の着脱が容易になる。
【００３９】
また、本発明のベッド１は、カバー４０にパイピング４２を具備することで、溝１３を外部から見えない様に覆い隠すことが可能になる。更に、カバー４０が縫い付けられた縫い代部４２を有するパイピング４２を持つことで、溝１３にカバー４０を挿入する操作を行ない易くすることが可能になる。
【００４０】
また、本発明のベッド１の組付け方法は、メス面ファスナー４５をオス面ファスナー１６に係止する際にパイピング４２で溝１３を覆うことで、溝１３を外部から見えない様に覆い隠すことが可能である。
【００４１】
また、本発明のベッド１は、板部１０の上部端面１１の溝１３へカバー４０の意匠面の裏側からステープル４６で締結することで、カバー４０やクッション体３５に大きな力が掛かっても、カバー４０やクッション体３５がずれたり外れたりし難く出来る。
【００４２】
また、本発明のベッド１の組付け方法は、カバー４０の外周部の端面４１を係止するオス面ファスナー１６を溝１３の内側前面１５または内側後面１４に具備し、オス面ファスナー１６と係合されるメス面ファスナー４５をカバー４０の外周部の端面４１に具備することで、カバー４０やクッション体３５を付け直すことが可能になる。
【００４３】
また、本発明のベッド１の組付け方法は、カバー４０の張り量を調整しながら溝１３に挿入されるメス面ファスナー４５の挿入量を調整した後に、フィルム１７を抜き取り、オス面ファスナー１６とメス面ファスナー４５を係合させることで、カバー４０のシワ発生や凹凸発生を防止出来る。
【符号の説明】
【００４４】
１  ベッド
２  ヘッドボード
３  フットフレーム
４  左サイドレール
５  右サイドレール
６  床板
７  金具
８  レッグ
１０  板部
１１  上部端面
１２  側部端面
１３  溝
１４  溝の内側後面
１５  溝の内側前面
１６  オス面ファスナー（係止部材）
１７  フィルム
１８  前側の面
１９  背板
２０  縦芯
２１  横芯
２２  縦芯
２３  縦芯
２４  横芯
２５  枠
２６  枠
２７  大枠
２８  化粧板
２９  横芯
３０  前板
３５  クッション体
３６  クッション体の上部
３７  クッション体の側部
３８  クッション体の下部
４０  カバー
４１  外周部の端面
４２  パイピング
４３  パイプ
４４  縫い代部
４５  メス面ファスナー（被係止部材）
４６  ステープル
【図１】
2013022133.tif 000003
【図２】
2013022133.tif 000004
【図３】
2013022133.tif 000005
【図４】
2013022133.tif 000006
【図５】
2013022133.tif 000007
【図６】
2013022133.tif 000008